(57)【要約】【課題】洗浄槽の上面を閉塞する上蓋３に、洗浄槽をシールするパッキン８が取り付けられた食器洗浄機であって、パッキン８は、環状であって、本体部８１の上方にのびる起立片部８２から外側に張り出す庇部８３を有し、上蓋３の下面に、庇部８３を下方から挿入可能な装着溝３１が４隅に湾曲部３１ｃを有するほぼ方形の環状に形成され、装着溝３１の湾曲部３１ｃ以外の部分に挿入された庇部８３の下面に、上蓋３の外辺に取付けた補強枠７の下縁の折り曲げ部７１を係合させて、パッキン８を抜け止めするものにおいて、装着溝３１の各湾曲部３１ｃに挿入されたパッキン８の部分（パッキン８の各湾曲部８ｃ）を上蓋３とは別体の部材を用いずに抜け止めできるようにする。【解決手段】上蓋３の装着溝３１の各湾曲部３１ｃの形成箇所に、パッキン８の各湾曲部８ｃの庇部８３下面に係合する爪部３２を各湾曲部３１ｃの周方向に間隔を示存して複数形成する。【選択図】図４
2020031791.tif 000002
【特許請求の範囲】
【請求項１】
外装ケース内から前方に引き出し自在な、上面を開放面とする洗浄槽と、外装ケース内の上部に上下動自在に支持され、外装ケース内への洗浄槽の押し込み時に下降して洗浄槽の上面を閉塞する上蓋とを備え、上蓋に、洗浄槽の上面周縁部に当接して洗浄槽をシールするパッキンが取り付けられた食器洗浄機であって、
パッキンは、環状であって、全周に亘り、洗浄槽の上面周縁部に当接するパッキン本体部と、パッキン本体部から上方にのびる起立片部と、起立片部から外側に張り出す庇部とを有し、上蓋の下面に、庇部を下方から挿入可能なパッキン装着溝が、横方向にのびる前後両側部と、前後方向にのびる横方向両側部と、４隅の円弧状の湾曲部とを有するほぼ方形の環状に形成され、上蓋の前後及び横方向両側の各辺に取付ける補強枠の下縁に内側に屈曲する折り曲げ部を形成し、この折り曲げ部をパッキン装着溝の前後及び横方向両側の各側部に挿入されたパッキンの部分の庇部下面に係合させて、パッキンを抜け止めするものにおいて、
上蓋の下面４隅に、パッキン装着溝の各湾曲部の外縁部下面から内側に張り出して、パッキン装着溝の各湾曲部に挿入されたパッキンの部分の庇部下面に係合する爪部が、パッキン装着溝の各湾曲部の周方向に間隔を存して複数形成されることを特徴とする食器洗浄機。
【発明の詳細な説明】
【技術分野】
【０００１】
本発明は、外装ケース内から前方に引き出し自在な、上面を開放面とする洗浄槽と、外装ケース内の上部に上下動自在に支持され、外装ケース内への洗浄槽の押し込み時に下降して洗浄槽の上面を閉塞する上蓋とを備え、上蓋に、洗浄槽の上面周縁部に当接して洗浄槽をシールするパッキンが取り付けられた食器洗浄機に関する。
【背景技術】
【０００２】
従来、この種の食器洗浄機として、特許文献１により、パッキンを、環状であって、全周に亘り、洗浄槽の上面周縁部に当接するパッキン本体部と、パッキン本体部から上方にのびる起立片部と、起立片部から外側に張り出す庇部とを有するものとし、上蓋の下面に、庇部を下方から挿入可能なパッキン装着溝を、横方向にのびる前後両側部と、前後方向にのびる横方向両側部と、４隅の円弧状の湾曲部とを有するほぼ方形の環状に形成し、上蓋の前後及び横方向両側の各辺に取付ける補強枠の下縁に内側に屈曲する折り曲げ部を形成し、この折り曲げ部をパッキン装着溝の前後及び横方向両側の各側部に挿入されたパッキンの部分の庇部下面に係合させて、パッキンを抜け止めするものが知られている。
【０００３】
尚、このものでは、パッキン装着溝の４隅の湾曲部に挿入されたパッキンの部分（パッキンの湾曲部）の庇部下面に補強枠の下縁の折り曲げ部を係合させることはできない。そこで、上蓋の下面４隅に、パッキンの各湾曲部の庇部下面に係合する係合板を取付けて、パッキンの各湾曲部を抜け止めしている。然し、これでは、補強枠に加えて上蓋とは別体の係合板が必要になるため、部品点数が増してコストが高くなる。
【先行技術文献】
【特許文献】
【０００４】
【特許文献１】特開２００５−１７７２８１号公報
【発明の概要】
【発明が解決しようとする課題】
【０００５】
本発明は、以上の点に鑑み、上蓋とは別体の部材を用いずにパッキンの各湾曲部を抜け止めできるようにした低コストの食器洗浄機を提供することをその課題としている。
【課題を解決するための手段】
【０００６】
上記課題を解決するために、本発明は、外装ケース内から前方に引き出し自在な、上面を開放面とする洗浄槽と、外装ケース内の上部に上下動自在に支持され、外装ケース内への洗浄槽の押し込み時に下降して洗浄槽の上面を閉塞する上蓋とを備え、上蓋に、洗浄槽の上面周縁部に当接して洗浄槽をシールするパッキンが取り付けられた食器洗浄機であって、パッキンは、環状であって、全周に亘り、洗浄槽の上面周縁部に当接するパッキン本体部と、パッキン本体部から上方にのびる起立片部と、起立片部から外側に張り出す庇部とを有し、上蓋の下面に、庇部を下方から挿入可能なパッキン装着溝が、横方向にのびる前後両側部と、前後方向にのびる横方向両側部と、４隅の円弧状の湾曲部とを有するほぼ方形の環状に形成され、上蓋の前後及び横方向両側の各辺に取付ける補強枠の下縁に内側に屈曲する折り曲げ部を形成し、この折り曲げ部をパッキン装着溝の前後及び横方向両側の各側部に挿入されたパッキンの部分の庇部下面に係合させて、パッキンを抜け止めするものにおいて、上蓋の下面４隅に、パッキン装着溝の４隅の各湾曲部の外縁部下面から内側に張り出して、パッキン装着溝の各湾曲部に挿入されたパッキンの部分（パッキンの各湾曲部）の庇部下面に係合する爪部が、パッキン装着溝の各湾曲部の周方向に間隔を存して複数形成されることを特徴とする。
【０００７】
本発明によれば、上蓋に形成した爪部がパッキンの各湾曲部の庇部下面に係合することで、パッキンの各湾曲部が抜け止めされる。従って、上蓋とは別体の部材を用いずにパッキンの各湾曲部を抜け止めでき、部品点数を削減してコストダウンを図ることができる。
【０００８】
尚、爪部をパッキン装着溝の各湾曲部の周方向全長に亘って連続して形成したのでは、爪部が邪魔になって、パッキンの各湾曲部の庇部をパッキン装着溝の各湾曲部に挿入できなくなる。これに対し、本発明では、パッキン装着溝の各湾曲部の周方向に間隔を存して爪部が複数形成されるため、パッキンの各湾曲部の庇部を爪部間で撓ませてパッキン装着溝の各湾曲部に挿入することができる。
【図面の簡単な説明】
【０００９】
【図１】本発明の実施形態の食器洗浄機の概略側面図。
【図２】実施形態の食器洗浄機の上蓋の斜め下方から見た斜視図。
【図３】図２の上蓋の分解状態の斜め下方から見た斜視図。
【図４】（ａ）図２のＩＶａ−ＩＶａ線で切断した拡大断面図、（ｂ）図２のＩＶｂ−ＩＶｂ線で切断した拡大断面図。
【発明を実施するための形態】
【００１０】
図１に示す本発明の実施形態の食器洗浄機は、前面が開放された外装ケース１と、外装ケース１内から前方に引き出し自在な洗浄槽２とを備えている。洗浄槽２は、上面が開放面となっており、洗浄槽２を外装ケース１内から引き出した状態で、洗浄槽２内に上方から食器を出し入れする。外装ケース１内の上部には、洗浄槽２用の上蓋３が上下方向に移動自在に、且つ、バネ（図示省略）により上方に付勢された状態で支持されている。
【００１１】
洗浄槽２の横方向各側の外側面の上部には、カム溝４が形成されている。また、上蓋３の横方向各側の側辺に連結した下方にのびる動作板５に、カム溝４に係合するローラ６を軸着している。そして、外装ケース１への洗浄槽２の押し込みでローラ６がカム溝４の前端の下方への傾斜部４ａに係合することにより、上蓋３が下降し、洗浄槽２の上面が閉塞されるようにしている。
【００１２】
上蓋３は、合成樹脂製であって、その前後及び横方向両側の各辺には、上蓋３の反りを防止するために、図２、図３に示す如く、金属製の補強枠７が取付けられている。また、上蓋３には、洗浄槽２の上面周縁部に当接して洗浄槽２をシールするシリコンゴム等の弾性材料製のパッキン８が取り付けられている。パッキン８は、横方向にのびる前後両側部８ａと、前後方向にのびる横方向両側部８ｂと、４隅の円弧状の湾曲部８ｃとを有するほぼ方形の環状に形成されている。また、パッキン８は、全周に亘り、図４に示す如く、洗浄槽２の上面周縁部に当接するチューブ状のパッキン本体部８１と、パッキン本体部８１から上方にのびる起立片部８２と、起立片部８２から外側に張り出す庇部８３とを有している。尚、本実施形態では、起立片部８２の上部が庇部８３よりも上方にのびているが、起立片部８２の上部はカットしてもよい。
【００１３】
上蓋３の下面には、庇部８３を下方から挿入可能なパッキン装着溝３１が、パッキン８と同様の横方向にのびる前後両側部３１ａと、前後方向にのびる横方向両側部３１ｂと、４隅の円弧状の湾曲部３１ｃとを有するほぼ方形の環状に形成されている。また、上蓋３の前後及び横方向両側の各辺に取付ける補強枠７の下縁には、内側に屈曲する折り曲げ部７１が形成されている。そして、この折り曲げ部７１を、図４（ａ）に示す如く、パッキン装着溝３１の前後及び横方向両側の各側部３１ａ，３１ｂに挿入されたパッキン８の部分であるパッキン８の前後及び横方向両側の各側部８ａ，８ｂの庇部８３下面に係合させて、パッキン８を抜け止めしている。
【００１４】
但し、パッキン装着溝３１の４隅の各湾曲部３１ｃに挿入されたパッキン８の部分であるパッキン８の各湾曲部８ｃの庇部８３の下面に折り曲げ部７１を係合させることはできない。従って、このままでは、パッキン８の各湾曲部８ｃを抜け止めできなくなる。この場合、パッキン８の各湾曲部８ｃを抜け止めするための部材を上蓋３に取付けることも考えられるが、これでは部品点数が増加してコストが高くなってしまう。
【００１５】
そこで、本実施形態では、上蓋３の下面４隅に、図４（ｂ）に示す如く、パッキン装着溝３１の各湾曲部３１ｃの外縁部下面から内側に張り出して、パッキン装着溝３１の各湾曲部３１ｃに挿入されたパッキン８の各湾曲部８ｃの庇部８３下面に係合する爪部３２を形成している。これによれば、上蓋３とは別体の部材を用いずに、爪部３２によってパッキン８の各湾曲部８ｃを抜け止めでき、部品点数を削減してコストダウンを図ることができる。
【００１６】
但し、爪部３２をパッキン装着溝３１の各湾曲部３１ｃの周方向全長に亘って連続して形成したのでは、爪部３２が邪魔になって、パッキン８の各湾曲部８ｃの庇部８３をパッキン装着溝３１の各湾曲部３１ｃに挿入できなくなる。そこで、本実施形態では、パッキン装着溝３１の各湾曲部３１ｃの形成箇所に、各湾曲部３１ｃの周方向に間隔を存して爪部３２を複数（図示例では３個）形成している。これによれば、パッキン８の各湾曲部８ｃの庇部８３を爪部３２間で撓ませてパッキン装着溝３１の各湾曲部３１ｃに挿入することができる。
【００１７】
尚、パッキン装着溝３１は、庇部８３より上方にのびる起立片部８２の上部も受け入れられるように形成されている。また、爪部３２の形成箇所では、パッキン装着溝３１の上面に、爪部３２の上面を成形する型を上方に抜くための抜き穴３３が形成されている。
【００１８】
以上、本発明の実施形態について図面を参照して説明したが、本発明はこれに限定されない。例えば、図３では、パッキン８が自由状態でほぼ方形の環状になっているが、自由状態では単純な環状になるようにしてもよい。また、上記実施形態では、パッキン本体部８１をチューブ状に形成したが、パッキン本体部は中実であってもよい。更に、上記実施形態では、上蓋３をカム溝４とローラ６とから成るカム機構により洗浄槽２の出し入れに連動して上下動させているが、洗浄槽２の出し入れに連動して上蓋３を上下動させる機構は、リンク機構等の他の機構であってもよく、また、上蓋３を独立した駆動源で上下動させるようにしてもよい。
【符号の説明】
【００１９】
１…外装ケース、２…洗浄槽、３…上蓋、３１…パッキン装着溝、３１ａ…パッキン装着溝の前後の各側部、３１ｂ…パッキン装着溝の横方向両側の各側部、３１ｃ…パッキン装着溝の湾曲部、３２…爪部、７…補強枠、７１…折り曲げ部、８…パッキン、８ａ…パッキンの前後の各側部（パッキン装着溝の前後の各側部に挿入されるパッキンの部分）、８ｂ…パッキンの横方向両側の各側部（パッキン装着溝の横方向両側の各側部に挿入されるパッキンの部分）、８ｃ…パッキンの各湾曲部（パッキン装着溝の各湾曲部に挿入されるパッキンの部分）、８１…パッキン本体部、８２…起立片部、８３…庇部。
【図１】
2020031791.tif 000003
【図２】
2020031791.tif 000004
【図３】
2020031791.tif 000005
【図４】
2020031791.tif 000006